(57)【要約】      （修正有）【課題】雌部材から雄部材を抜く際に雌部材の内面に付着した流体が垂れることがなく、周囲を汚さずに使用することができる。【解決手段】軸方向に連通した貫通孔２１を有する雌部材２と、前記貫通孔２１の一端部開口を覆うように配される弁体３と、前記雌部材２の一端部から前記弁体３を貫通して前記貫通孔２１に挿入され、内部に軸方向にのびる流体通路４１１を有しかつ先端付近に前記流体通路４１１に通じる連通孔４１２を有する雄部材４と、前記貫通孔２１に挿入された前記雄部材４により前記貫通孔２１の他端部開口から離れて他端部開口を開放し、前記貫通孔２１から前記雄部材４が抜かれることにより前記貫通孔２１の前記他端部開口を再封止するプラグ５とを具備し、前記弁体３は、弁部と、その径方向外側に形成され前記雌部材２の一端部と当接される環状基部３２とを有し、前記弁部には前記雄部材４が貫通する開閉自在なスリット３３が形成されている。【選択図】図２
2014144782.tif 000002
【特許請求の範囲】
【請求項１】
軸方向に連通した貫通孔を有する雌部材と、
前記貫通孔の一端部開口を覆うように配される弁体と、
前記雌部材の一端部から前記弁体を貫通して前記貫通孔に挿入され、内部に軸方向にのびる流体通路を有しかつ先端付近に前記流体通路に通じる連通孔を有する雄部材と、
前記貫通孔に挿入された前記雄部材により前記貫通孔の他端部開口から離れて他端部開口を開放し、前記貫通孔から前記雄部材が抜かれることにより前記貫通孔の前記他端部開口を再封止するプラグとを具備し、
前記弁体は、弁部と、その径方向外側に形成され前記雌部材の一端部と当接される環状基部とを有し、
前記弁部には前記雄部材が貫通する開閉自在なスリットが形成されていることを特徴とする流体用コネクタ。
【請求項２】
前記弁部は前記雄部材の挿入方向に立ち上がるように開閉することを特徴とする請求項１に記載の流体用コネクタ。
【請求項３】
前記貫通孔には、前記雄部材が前記弁体を貫通し、前記貫通孔に挿入された状態において、前記雄部材と前記雌部材との間に前記弁部を収容する収容部が形成されていることを特徴とする請求項１または請求項２に記載の流体用コネクタ。
【請求項４】
前記収容部は前記貫通孔の一端部近傍に形成された大径筒壁と前記雄部材とに挟まれた空間からなることを特徴とする請求項１ないし請求項３のいずれかに記載の流体用コネクタ。
【請求項５】
前記環状基部の径方向外側には、前記弁体を前記雌部材に取り付ける取付部が形成され、前記環状基部の上下面の少なくともいずれかの面に環状薄肉部が設けられていることを特徴とする請求項１ないし請求項４のいずれかに記載の流体用コネクタ。
【請求項６】
軸方向に連通した貫通孔を有する雌部材と、
前記貫通孔の一端部開口を覆うように配される弁体と、
前記雌部材の他端部に前記貫通孔を閉鎖するプラグとを具備し、
前記プラグは、内部に軸方向にのびる流体通路を有しかつ先端付近に前記流体通路に通じる連通孔を有する雄部材が前記雌部材の一端部から前記弁体を貫通して前記貫通孔に挿入されることにより、前記貫通孔の他端部開口から離れて他端部開口を開放し、一方、前記貫通孔から前記雄部材が抜かれることにより前記貫通孔の他端部開口を再封止するように構成されており、
前記弁体は、弁部と、その径方向外側に形成され前記雌部材の一端部と当接される環状基部とを有し、
前記弁部には前記雄部材が貫通する開閉自在なスリットが形成されていることを特徴とする閉栓部材。
【請求項７】
前記弁部は前記雄部材の挿入方向に立ち上がるように開閉することを特徴とする請求項６に記載の閉栓部材。
【請求項８】
前記貫通孔には、前記雄部材が前記弁体を貫通し、前記貫通孔に挿入された状態において、前記雄部材と前記雌部材との間に前記弁部を収容する収容部が形成されていることを特徴とする請求項６または請求項７に記載の閉栓部材。
【請求項９】
前記収容部は前記貫通孔の一端部近傍に形成された大径筒壁と前記雄部材とに挟まれた空間からなることを特徴とする請求項６ないし請求項８のいずれかに記載の閉栓部材。
【請求項１０】
前記環状基部の径方向外側には、前記弁体を前記雌部材に取り付ける取付部が形成され、前記環状基部の上下面の少なくともいずれかの面に環状薄肉部が設けられていることを特徴とする請求項６ないし請求項９のいずれかに記載の閉栓部材。
【請求項１１】
請求項６ないし請求項１０のいずれかの閉栓部材が容器の開口に配された閉栓部材付き容器。
【発明の詳細な説明】
【技術分野】
【０００１】
本発明は、たとえば化学品、化粧品、医薬品、洗剤、流動状の食品、飲料、あるいは接着剤、塗料、インク等の工業用品といった各種の流体が収容される容器、その容器に用いられる流体用コネクタおよび閉栓部材に関する。なお、本発明を特定する意味において、流体には粉体が含まれるものとする。
【背景技術】
【０００２】
流体用コネクタとして、流体が充填される容器の注出口に取り付けられかつ一端が容器の内側に開口し他端が容器の外側に開口した貫通孔を有する雌部材と、貫通孔に挿入され、内部に軸方向にのびる流体通路を有しかつ先端付近に流体通路に通じる連通孔を有する雄部材と、貫通孔に挿入された雄部材により貫通孔の一端開口から離れて同開口を開放し、貫通孔から雄部材が抜かれることにより貫通孔の一端開口を再封止するプラグとを備えたものが知られている（例えば、下記特許文献１参照）。
【０００３】
雄部材は、内部に軸方向にのびる流体通路を有しかつ先端付近に周面に開口した連通孔を有する棒状部と、棒状部の先端に連なりかつプラグに係合する頭部とを備えており、雄部材が雌部材の貫通孔に挿入されることにより、その頭部がプラグに係合してプラグが雌部材の内端部から外れるとともに連通孔が容器内に臨ませられ、一方、雌部材の貫通孔から引き抜かれることにより、頭部に同伴して移動したプラグが雌部材の内端部に係合して貫通孔を閉鎖するとともに頭部がプラグから外れるようになって再封止する。
【０００４】
このように、上記のコネクタによれば、容器への流体の充填作業や容器からの注出作業を簡単に行うことができ、また、作業が終了した場合には、雄部材を雌部材から抜けば、それによって容器の注出口が自動的に再封止されるので、容器内に残った流体が注出口から漏れるのを回避することができる。
【０００５】
しかしながら、上記のコネクタの場合、雌部材から雄部材を抜く際に、雌部材の貫通孔内面に流体が付着し、特に容器の開口が下向きや横向きである場合には、同部分に付着した流体が垂れて周囲を汚すことがあった。また、コネクタの脱着作業を当初の想定以上に繰り返して行うことにより、プラグと雄部材の係合不良によりプラグが雄部材に同伴しにくくなるおそれがある。このとき、雄部材を雌部材から抜いても、プラグが雌部材の内端部に係合せず、貫通孔を閉鎖しないため、流体が漏れるおそれがある。
【先行技術文献】
【特許文献】
【０００６】
【特許文献１】特開２００５−８２０６号公報
【発明の概要】
【発明が解決しようとする課題】
【０００７】
本発明はこのような従来技術の実情に鑑みてなされたものであり、雌部材から雄部材を抜く際に雌部材の内面に付着した流体が垂れることがなく、周囲を汚さずに使用することができ、さらに、プラグと雄部材との係合不良による容器開口からの液漏れを防止しすることができる流体用コネクタ、閉栓部材および閉栓部材付き容器を提供することを課題とする。
【課題を解決するための手段】
【０００８】
本発明者は上記課題を解決すべく、鋭意研究を重ねた結果、請求項１に係る発明は、軸方向に連通した貫通孔を有する雌部材と、貫通孔の一端部開口を覆うように配される弁体と、雌部材の一端部から弁体を貫通して貫通孔に挿入され、内部に軸方向にのびる流体通路を有しかつ先端付近に流体通路に通じる連通孔を有する雄部材と、貫通孔に挿入された雄部材により貫通孔の他端部開口から離れて他端部開口を開放し、貫通孔から雄部材が抜かれることにより貫通孔の他端部開口を再封止するプラグとを具備し、弁体は、弁部と、その径方向外側に形成され雌部材の一端部と当接される環状基部とを有し、弁部には雄部材が貫通する開閉自在なスリットが形成されていることを特徴とする流体用コネクタを提供するものである。
【０００９】
これによれば、開閉自在なスリットを有する弁体が雌部材の貫通孔の一端部開口を覆うように配されているため、雌部材から雄部材を抜く際に雌部材の内面に付着した流体が垂れることがなく、周囲を汚さずに使用することができる。また、コネクタの脱着作業を当初の想定以上に繰り返して行うことにより、プラグと雄部材との係合不良が発生した際に、一端部開口からの流体の漏れを防止することができる。さらに、弁体の構造が容易であり、省スペース化、低価格化を可能とし、組立容易な流体コネクタを提供できる。
【００１０】
請求項２に係る発明は、請求項１に係る流体用コネクタの発明において、弁部は雄部材の挿入方向に立ち上がるように開閉することを特徴とする請求項１に記載の流体用コネクタ。
【００１１】
これによれば、弁部が貫通孔内で雄部材の挿入方向に立ち上がるように開閉するため、弁体は容易な構造で自己閉鎖機能を具備し、流体コネクタをどの向きで使用しても、弁部が復元し、流体の漏れや垂れを防止できる。さらに、貫通孔から雄部材を抜く際に、弁体によって雄部材に付着した流体を拭き取ることができる。
【００１２】
請求項３に係る発明は、請求項１または請求項２に流体用コネクタの発明において、貫通孔には、雄部材が弁体を貫通し、貫通孔に挿入された状態において、雄部材と雌部材との間に弁部を収容する収容部が形成されていることを特徴とする。
【００１３】
これによれば、貫通孔内の収容部に弁部を収容することができるため、雌部材と雄部材を同心軸上に配置することができ、雄部材とプラグとの係合を確実に行うことができる。また、雄部材を貫通孔内において、スムーズに抜き差しを行うことができるため、雄部材による弁部の破損を防止することができる。
【００１４】
請求項４に係る発明は、請求項１ないし請求項３のいずれかに係る流体用コネクタの発明において、収容部は前記貫通孔の一端部近傍に形成された大径筒壁と前記雄部材とに挟まれた空間からなることを特徴とする。
【００１５】
これによれば、貫通孔の一端部近傍に大径筒壁を設けるだけで、収容部を形成させることができ、貫通孔の形状が単純で、成形が容易である。
【００１６】
請求項５に係る発明は、請求項１ないし請求項４のいずれかに係る流体用コネクタの発明において、環状基部の径方向外側には、弁体を雌部材に取り付ける取付部が形成され、環状基部の上下面の少なくともいずれかの面に環状薄肉部が設けられていることを特徴とする。
【００１７】
これによれば、環状基部のいずれかの面に環状薄肉部が設けられていることにより、取付部を径方向の外側に引っ張って、雌部材を嵌め込んでも、弁部が径方向の外側に引っ張られることを防止することができ、スリット形状を維持することができる。
【００１８】
請求項６に係る発明は、軸方向に連通した貫通孔を有する雌部材と、貫通孔の一端部開口を覆うように配される弁体と、雌部材の他端部に貫通孔を閉鎖するプラグとを具備し、プラグは、内部に軸方向にのびる流体通路を有しかつ先端付近に流体通路に通じる連通孔を有する雄部材が雌部材の一端部から弁体を貫通して貫通孔に挿入されることにより、貫通孔の他端部開口から離れて他端部開口を開放し、一方、貫通孔から雄部材が抜かれることにより貫通孔の他端部開口を再封止するように構成されており、弁体は、弁部と、その径方向外側に形成され雌部材の一端部と当接される環状基部とを有し、弁部には雄部材が貫通する開閉自在なスリットが形成されていることを特徴とする閉栓部材を提供するものである。
【００１９】
これによれば、開閉自在なスリットを有する弁体が雌部材の貫通孔の一端部開口を覆うように配されているため、雌部材から雄部材を抜く際に雌部材の内面に付着した流体が垂れることがなく、周囲を汚さずに使用することができる。また、コネクタの脱着作業を当初の想定以上に繰り返して行うことにより、プラグと雄部材との係合不良が発生した際に、一端部開口からの流体の漏れを防止することができる。さらに、弁体の構造が容易であり、省スペース化、低価格化を可能とし、組立容易な閉栓部材を提供できる。
【００２０】
請求項７に係る発明は、請求項６に係る閉栓部材の発明において、弁部は雄部材の挿入方向に立ち上がるように開閉することを特徴とする。
【００２１】
これによれば、弁部が貫通孔内で雄部材の挿入方向に立ち上がるように開閉するため、弁体は容易な構造で自己閉鎖機能を具備し、流体コネクタをどの向きで使用しても、弁部が復元し、流体の漏れや垂れを防止できる。さらに、貫通孔から雄部材を抜く際に、弁体によって雄部材に付着した流体を拭き取ることができる。
【００２２】
請求項８に係る発明は、請求項６または請求項７に係る閉栓部材の発明において、貫通孔には、雄部材が弁体を貫通し、貫通孔に挿入された状態において、雄部材と雌部材との間に弁部を収容する収容部が形成されていることを特徴とする
【００２３】
これによれば、貫通孔内の収容部に弁部を収容することができるため、雌部材と雄部材を同心軸上に配置することができ、雄部材とプラグとの係合を確実に行うことができる。また、雄部材を貫通孔内において、スムーズに抜き差しを行うことができるため、雄部材による弁部の破損を防止することができる。
【００２４】
請求項９に係る発明は、請求項６ないし請求項８のいずれかに係る閉栓部材の発明において、収容部は貫通孔の一端部近傍に形成された大径筒壁と雄部材とに挟まれた空間からなることを特徴とする。
【００２５】
これによれば、貫通孔の一端部近傍に大径筒壁を形成されるだけでよく、貫通孔の形状が単純で、成形が容易である。
【００２６】
請求項１０に係る発明は、請求項６ないし請求項９のいずれかに係る閉栓部材の発明において、環状基部の径方向外側には、弁体を雌部材に取り付ける取付部が形成され、環状基部の上下面の少なくともいずれかの面に環状薄肉部が設けられていることを特徴とする。
【００２７】
これによれば、環状基部のいずれかの面に環状薄肉部が設けられていることにより、取付部を径方向の外側に引っ張って、雌部材を嵌め込んでも、弁部が径方向の外側に引っ張られることを防止することができ、スリット形状を維持することができる。
【００２８】
請求項１１に係る発明は、請求項６ないし請求項１０のいずれかに係る閉栓部材が容器の開口に配された閉栓部材付き容器を提供するものである。
【００２９】
これによれば、開閉自在なスリットを有する弁体が雌部材の貫通孔の一端部開口を覆うように配されているため、雌部材から雄部材を抜く際に雌部材の内面に付着した流体が垂れることがなく、周囲を汚さずに使用することができる。また、コネクタの脱着作業を当初の想定以上に繰り返して行うことにより、プラグと雄部材との係合不良が発生した際に、一端部開口からの流体の漏れを防止することができる。さらに、弁体は容易な構造で自己閉鎖機能を具備し、流体コネクタをどの向きで使用しても、弁部が復元し、流体の漏れや垂れを防止できる。また、弁体の構造が容易であり、省スペース化、低価格化を可能とし、組立容易な閉栓部材付き容器を提供できる。
【発明の効果】
【００３０】
本発明によれば、雌部材から雄部材を抜く際に雌部材の内面に付着した流体が垂れることがなく、周囲を汚さずに使用することができる。また、プラグと雄部材との係合不良が発生した際に、一端部開口からの流体の漏れを防止することができる。さらに、弁体を容易な構造で形成させることができるため、安価に製造でき、弁体の取り外しが容易である。
【図面の簡単な説明】
【００３１】
【図１】第１の実施形態の流体用コネクタの部分断面図である。
【図２】第１の実施形態の流体用コネクタの接続状態を示す部分断面図である。
【図３】第１の実施形態の弁体の（ａ）平面図および（ｂ）底面図である。
【図４】第１の実施形態の弁体の（ａ）Ａ−Ａ線断面図および（ｂ）Ｂ−Ｂ線断面図である。
【図５】第２の実施形態の弁体の（ａ）平面図および（ｂ）底面図である。
【図６】第２の実施形態の流体用コネクタの部分断面図である。
【図７】第２の実施形態の流体用コネクタの接続状態を示す部分断面図である。
【図８】第３の実施形態の弁体の（ａ）平面図および（ｂ）底面図である。
【図９】第３の実施形態の流体用コネクタの部分断面図である。
【図１０】第３の実施形態の流体用コネクタの接続状態を示す部分断面図である。
【発明を実施するための形態】
【００３２】
以下、本発明をその好ましい実施形態について図面を参照して説明する。コネクタに関する以下の説明において、「上下」「左右」は図１、図２、図６、図７、図９、図１０のそれらを言うものとする。
【００３３】
＜第１の実施形態＞
本発明の第１の実施形態について図１から図４を参照しつつ説明する。
【００３４】
第１の実施形態における流体用コネクタは、容器１の開口に固定されかつ軸方向に連通した貫通孔２１を有する雌部材２と、雌部材２の貫通孔２１の一端部（下端部）開口を覆うように配される弁体３と、雌部材２の一端部（下端部）から弁体３を貫通して貫通孔２１に挿入され、内部に軸方向にのびる流体通路４１１を有しかつ先端付近に流体通路４１１に通じる連通孔４１２を有する雄部材４と、貫通孔２１に挿入された雄部材４により貫通孔２１の他端部（上端部）開口から離れて他端部（上端部）開口を開放し、貫通孔２１から雄部材４が抜かれることにより貫通孔２１の他端部（上端部）開口を再封止するプラグ５とを備えている。
【００３５】
雌部材２は、合成樹脂製であって、容器１の開口にヒートシールされる断面略舟形の基部２２と、基部２２の上端から突出しかつ先端部に環状内方凸部２３１を有する係止部２３と、基部２２の下端に形成された環状の第１フランジ部２４と、基部２２の下端から突出した筒状部２５と、筒状部２５の先端に形成された環状の第２フランジ部２６とを備えている。貫通孔２１の高さ中間に中径筒壁２１２が形成されている。中径筒壁２１２の内径は後述する雄部材４の棒状部４１の径大部４１４の外径よりも僅かに大きくなるよう形成されている。中径筒壁２１２の下端部側には中径筒壁２１２よりもやや内径が大きい大径筒壁２１１が形成されている。また、容器１としては、パウチなど可撓性の容器が好ましい。
【００３６】
プラグ５は、雌部材２と一体に成形されたキャップ状のものであって、可撓性を有する左右２つの連結部を介して雌部材２の基部２２に連結されている。プラグ５の周壁内面は、頂壁に向かって漸次縮径されている。プラグ５の周壁の下半部は、雌部材２の係止部２３に嵌め込まれるようになっている。周壁外面の高さ中間に環状段差５１が形成され、この環状段差５１に雌部材２の係止部２３先端が受けられるようになっている。プラグ５の下端部外面には、係止部２３の環状内方凸部２３１と係合する環状外方凸部５２が形成されている。また、プラグ５の下端部内面には、環状内方凸部５３が形成されている。
【００３７】
弁体３は材質としてエラストマーやゴムなどの弾性体によって形成され、雌部材２の貫通孔２１の軸線上に形成され貫通孔２１側に突出した半球面状の弁部３１と、その径方向の外側に形成され雌部材２の下端部である第２フランジ部２６と当接する環状基部３２とを有する。
【００３８】
弁部３１の中央部には雄部材４が貫通する開閉自在な十字のスリット３３が形成されている。弁部３１の中央部はスリット３３により４つのフラップに分割されている。弁部３１の下面側は半球面状であり、上面側は中央付近が平坦に形成されることにより、中央部に向かって漸次厚みが薄くなる構造となっている。
【００３９】
環状基部３２の径方向の外側には第２フランジ部２６の外周壁を嵌め込み、弁体３を雌部材２の一端部（下端部）に取り付けるための取付部３４が形成されている。取付部３４は環状基部３２に取付筒部３４１が立設され、取付筒部３４１先端において内径方向に取付リング部３４２が形成されている。
【００４０】
環状基部３２の上面側、下面側の少なくともいずれかの面には環状薄肉部３５が形成されている。好ましくは、環状基部３２の下面側に環状薄肉部３５が形成される。下面側は雌部材２と当接しないため、環状基部３２の凹凸により弁体３の雌部材２への取り付けが不安定になることがないからである。環状薄肉部３５は環状基部３２の他の部分よりも伸縮しやすいため、取付部３４を径方向の外側に引っ張って、第２フランジ部２６の周壁に嵌め込んで取り付けても、弁部３１が径方向の外側に引っ張られることを防止し、スリット３３形状を維持することができる。
【００４１】
雄部材４は、内部に軸方向にのびる流体通路４１１を有しかつ先端（上端）付近に周面に開口した連通孔４１２を有する棒状部４１と、棒状部４１の先端に連なりかつプラグ５に係合する頭部４２とを備えている。この雄部材４は、合成樹脂または金属によって形成されている。
【００４２】
頭部４２の外周面は、先端に向かって漸次縮径されていて、プラグ５の内部に嵌め入れられるようになっている。また、頭部４２の基端部外面に、プラグ５の環状内方凸部５３が係り止められる環状溝４２１が形成されている。
【００４３】
棒状部４１の先端部は、それよりも基端側（下側）の部分と比べてやや径の小さい径小部４１３となされている。連通孔４１２は、この径小部４１３に、周方向に間隔をおいて複数形成されている。棒状部４１における径大部４１４の長さ上方に環状溝４１５が形成され、この環状溝に、棒状部４１と雌部材２の貫通孔２１内面との間をシールするＯリング４３の一部が嵌め込まれている。
【００４４】
次に、第１の実施形態における流体用コネクタの使用方法について説明する。例えば、容器１内から内容物たる流体を注出する場合を例に挙げて説明すると、図１に示す状態から、まず、雄部材４を、容器の開口に固定された雌部材２の貫通孔２１の一端部（下端部）から弁体３のスリット３３を貫通させて貫通孔２１に挿入する。雌部材２の係止部２３（他端部）に係合していたプラグ５に雄部材４の頭部４２が嵌まり込み、次いで、プラグ５が上方に押されて雌部材２の係止部２３から外れる。雄部材４をさらに貫通孔２１に挿入すると、棒状部４１の連通孔４１２が容器１内に臨む位置まで移動する。これにより、連通孔４１２から流体通路４１１を通じて容器１外に流体を注出させることができる。
【００４５】
このとき、弁部３１は雄部材４によって挿入方向に立ち上がるように開閉され、貫通孔２１に沿って上方に折り曲げられる。弁部３１は収容部である雄部材４の棒状部４１と貫通孔２１の大径筒壁２１１との間に挟まれた空間に収容される。大径筒壁２１１に沿った状態の弁部３１が、中径筒壁２１２とほぼ内径が等しくなるように、大径筒壁２１１が形成されている。収容部に弁部３１が収容されるため、雌部材２と雄部材４を同心軸上に配置することができ、雄部材４とプラグ５との係合を確実に行うことができる。また、雄部材４を貫通孔２１内において、スムーズに抜き差しを行うことができるため、雄部材４による弁部３１の破損を防止することができる。
【００４６】
流体の注出が終了すると、雄部材４を下方（外方）に引っ張る。すると、プラグ５が雄部材４の頭部４２とともに下方に移動させられ、それによって雌部材２の係止部２３に係合し、雌部材２の貫通孔２１が閉鎖される。さらに、雄部材４を引っ張ると、その頭部４２がプラグ５から外れ、雄部材４が貫通孔２１から抜かれる。この際、弁体３は自己閉鎖機能を具備しているため、元の形状に復元される。流体コネクタをどの向きで使用しても、弁部３１を閉じることができる。これにより、雌部材２から雄部材４を抜く際に雌部材２の内面に付着した流体が垂れたりすることがなく、周囲を汚さずに使用することができる。また、プラグ５と雄部材４との係合不良が発生した際に、弁体３で流体の漏れを防止することができる。
【００４７】
流体用コネクタは食品、化学品、化粧品、医薬品、洗剤、工業製品などの消耗品を収容するために用いられることが多いため、安価であることが強く要望され、製造コストが高いことは決して無視できるものではない。本発明に係る流体コネクタは弁体の構造が容易であり、省スペース化、低価格化を可能とする。
【００４８】
＜第２の実施形態＞
次に、本発明に係る流体コネクタの第２の実施形態について図５から図７を参照しつつ説明する。以下の説明では、第１の実施形態と異なる構造について説明することとし、同一の構造については同一の符号を付し、その説明を省略する。
【００４９】
弁部３１と環状基部３２の間に径方向外側に向けて周壁部３６、水平壁部３７、筒状壁部３８が設けられている。環状の水平壁部３７の内径側には弁部３１に連設する周壁部３６が立設し、外径側には環状基部３２に連設する筒状壁部３８が立設されている。
【００５０】
図６に示すように、環状基部３２の上面が弁部３１の上面よりも上側方向に位置するため、弁部３１から貫通孔２１の下端部までの距離が第１の実施形態と比較して離れている。雄部材４を貫通孔２１に挿入した際に、弁部３１が貫通孔２１の下端部開口から浅く入り込むため、収容部である大径筒壁２１１を貫通孔２１の下端部から上方に浅く設け、棒状部４１と貫通孔２１の隙間の小さい中径筒壁２１２を軸方向に大きく設けることができる。これにより、雄部材４の挿入時のシール性、操作性を向上させることができる。
【００５１】
＜第３の実施形態＞
次に、本発明に係る流体コネクタの第３の実施形態について図８から図１０を参照しつつ説明する。以下の説明では、第１の実施形態と異なる構造について説明することとし、同一の構造については同一の符号を付し、その説明を省略する。
【００５２】
環状基部３２の内径側から周壁部３６が立設されており、弁部３１と連設されている。周壁部３６の上端部には貫通孔２１内でシール性を向上させる環状外方凸部３６１が形成されている。図９に示すように、環状基部３２の上面が弁部３１の上面よりも下側に形成されているため、弁体３が雌部材２に取り付けられた状態で周壁部３６と弁部３１が貫通孔２１内に配置され、環状外方凸部３６１が貫通孔２１と密着することによりシール性を向上させることができる。
【００５３】
上記各実施形態において、プラグ５に雄部材４の頭部４２が嵌まり込み、プラグ５と雄部材４の脱着作業によって、貫通孔２１の上端部の開閉が行われる機構の流体コネクタについて説明したが、これに限定されるものではない。例えば、特開２００３−１９４２４５号公報に開示されるようなプラグが弾性部材からなる機構を使用することもできる。
【００５４】
また、弁体３の雌部材２への取り付けは、取付部３４に第２フランジ部２６を嵌め込むことにより取り付けるものを説明したが、これに限定されるものではなく、貫通孔２１の一端部（下端部）が覆われるように弁体３が取り付けられるものであればよい。例えば、環状基部３２の上面に設けた突起と雌部材２の一端部（下端部）に設けられた穴とを係合させることにより取り付けたり、別部材によって弁体３を雌部材２と挟み込むことによって取り付けたりすることなどもできる。
【００５５】
また、弁部３はエラストマーやゴムなどの弾性体によって形成され、貫通孔２１側に突出した半球面状形状のものを説明したが、これに限定されるものではない。また、スリット３３の形状が十字であるものについて説明したが、これに限定されず、１本線や３本以上の放射状のものであってもよい。
【００５６】
また、環状基部３２の環状薄肉部３５は上下両面に設けることもできるし、一方の面に複数設けることもできる。上記各実施形態において、周方向に連続したものを説明したが、周方向に所定の間隔を持たせて薄肉部３５を連続形成させたものであってもよい。
【符号の説明】
【００５７】
１  容器
２  雌部材
２１  貫通孔
２１１  大径筒壁（収容部）
３  弁体
３１  弁部
３２  環状基部
３３  スリット
３４  取付部
３５  環状薄肉部
４  雄部材
４１  棒状部
４１１  流体通路
４１２  連通孔
４２  頭部
５  プラグ
【図１】
2014144782.tif 000003
【図２】
2014144782.tif 000004
【図３】
2014144782.tif 000005
【図４】
2014144782.tif 000006
【図５】
2014144782.tif 000007
【図６】
2014144782.tif 000008
【図７】
2014144782.tif 000009
【図８】
2014144782.tif 000010
【図９】
2014144782.tif 000011
【図１０】
2014144782.tif 000012